(57)【要約】【課題】蓋部材の保持能力を高め、各種の外形を有する蓋部材の取付に対応することができると共に、取付軸線に対して回転方向の外力に対する耐力を有し、且つ取付作業が容易な笠木端部蓋取付装置を提供すること。【解決手段】固定具３の外端部材１２には、截頭四角錐をなす突起部２３がその細い截頭面を該端板部に接合した状態で突設され、蓋部材２には、前記截頭四角錐における錐面の傾斜に符合する傾斜が設けられた第一側壁面２７及び第一側壁面と平行な第二側壁面２８を有して突起部を収容可能とする平行六面体状凹窟部２９を具備させたものであり、第二側壁面に達する螺子孔３０に締付けられた止め螺子３１の先端が突起部の錘面に圧着されて蓋部材が取付けられる。【選択図】図２
2006241813.tif 000002
【特許請求の範囲】
【請求項１】
管状笠木の端部に挿入固着された固定具の外端部材外面に蓋部材が装着される笠木端部蓋取付装置において、該外端部材は、該管状笠木の外端に当接される端板部を具備すると共に、該端板部の外面には、截頭四角錐をなす突起部がその細い截頭面を該端板部に接合した状態で突設され、所要厚を有する該蓋部材は、その内面に該外端部材の該突起部における外端面である該截頭四角錐の太い底面が通過可能な口部を有すると共に、該截頭四角錐における錐面の傾斜に符合する傾斜が設けられた第一側壁面及び該第一側壁面と平行に対向する第二側壁面を有して該外端部材の該突起部を収容可能とする平行六面体状凹窟部を具備し、又該蓋部材側面には該第二側壁面に達する螺子孔が形成され、該蓋部材の該平行六面体状凹窟部に該外端部材の該突起部を収容した状態で、該螺子孔に締付けられた止め螺子の先端が該外端部材における該突起部の該錘面に圧着されて該外端部材に該蓋部材が取付けられることを特徴とする笠木端部蓋取付装置。
【請求項２】
前記突起部の截頭四角錐は截頭正四角錐であることを特徴とする請求項１記載の笠木端部蓋取付装置。
【請求項３】
前記外端部材の前記端板部における周縁外面には周縁外面突条が突設され、又前記蓋部材における周縁内面には周縁内面突条が突設され、該外端部材に該蓋部材が取付けられたときに、該周縁外面突条と該周縁内面突条とが当接されることを特徴とする請求項１又は請求項２記載の笠木端部蓋取付装置。
【請求項４】
前記外端部材の前記端板部は前記管状笠木の外径と内径との中間の外径を有する外周縁を具備すると共に、該端板部内面には前記管状笠木が嵌合される内径の嵌合用円筒部が形成されることを特徴とする請求項１乃至３のいずれか１項記載の笠木端部蓋取付装置。
【請求項５】
前記蓋部材は、前記管状笠木の軸線に対してＬ字状に延びる曲成突出縁を有することを特徴とする請求項１乃至４のいずれか１項記載の笠木端部蓋取付装置。
【発明の詳細な説明】
【技術分野】
【０００１】
本発明は、手摺等の管状笠木の端部に挿入固着された固定具の外端部材外面に管状笠木端部を被覆する蓋部材を装着するための笠木端部蓋取付装置に関する。
【背景技術】
【０００２】
従来、管状笠木の端部にエンドキャップ即ち蓋部材を取付ける取付装置は比較的簡単な構造の取付手段を備えたものが多い（例えば、特許文献１参照。）。このような蓋部材取付装置では、蓋部材を保持する能力が比較的に低いので、長年の使用によって蓋部材が脱落したり、悪戯等によって簡単に取外されたりする欠点があった。また現在では各種の意匠を施した蓋部材を使用する要望が高まっているが、これらの蓋部材に共通的に使用できる取付装置は存在しないので、その開発が急がれている。特に管状笠木の軸線に対してＬ字状に延びる曲成突出縁を有する蓋部材は、取付軸線についての回転方向の外力が加えられた場合にも、このような外力に対して充分耐えられる取付装置の開発が待たれている。
【０００３】
【特許文献１】特開昭６２−１６４９５０号公報
【発明の開示】
【発明が解決しようとする課題】
【０００４】
本発明が解決しようとする課題は、蓋部材の保持能力を高め、各種の外形を有する蓋部材の取付に対応することができると共に、取付軸線に対して回転方向の外力に対する耐力を有し、且つ取付作業が容易な笠木端部蓋取付装置を提供することにある。
【課題を解決するための手段】
【０００５】
本発明の笠木端部蓋取付装置は、管状笠木の端部に挿入固着される固定具と蓋部材とを分離し、該固定具側には、截頭四角錐をなす突起部がその細い截頭面を該端板部に接合した状態で突設され、蓋部材側には、該截頭四角錐における錐面の傾斜に符合する傾斜が設けられた第一側壁面及び該第一側壁面と平行に対向する第二側壁面を有して該外端部材の該突起部を収容可能とする平行六面体状凹窟部を具備させることにより、該蓋部材の該平行六面体状凹窟部に該外端部材の該突起部を収容した状態で、該蓋部材側面から該第二側壁面に達する螺子孔に締付けられた止め螺子の先端が該外端部材における該突起部の該錘面に圧着されて該外端部材に該蓋部材が取付けられることより、該止め螺子の締付けによって該蓋部材は該固定具の外端部材方向に引込まれて該固定具と該蓋部材との密着性を向上させると共に、該蓋部材の抜出す方向の外力には該止め螺子が更に該錘面の圧着力を増加して該蓋部材の抜出しを防止し、更に該蓋部材に加わる取付軸線についての回転方向の外力に対しても充分固定具に伝達することができる。
【発明の効果】
【０００６】
本発明は、次のような効果を奏する。
Ａ．蓋部材を固定具の外端部材に取付けるには、蓋部材における平行六面体状凹窟部の傾斜する第一側壁面を、外端部材の突起部における截頭四角錐の錘面に滑らすようにして蓋部材の平行六面体状凹窟部に外端部材の突起部を収容し、蓋部材の第二側壁面に達する螺子孔から止め螺子を締着する簡単な方法で作業が出来る。
Ｂ．蓋部材における止め螺子の先端が、外端部材の突起部における外広がりの錘面に圧着される構造を有するから、止め螺子の締付けによって、蓋部材は固定具の外端部材方向に引込まれて固定具と蓋部材との密着性を向上させる。
Ｃ．蓋部材における止め螺子の先端が、外端部材の突起部における外広がりの錘面に圧着される構造を有するから、蓋部材に作用する蓋部材の引抜き力に対しては錘面を圧着する止め螺子の先端圧力が更に増加することになり、蓋部材の固定具からの脱落を確実に防止することが出来る。
Ｄ．固定具の外端部材と蓋部材とは、截頭四角錐をなす外端部材の突起部と蓋部材の平行六面体状凹窟部との密接な嵌合によって取付けられるから、蓋部材の取付軸線についての回転方向の外力を充分に固定具に伝達することができる。
Ｅ．本発明にかかる蓋部材取付手段を施した各種の固着手段を備えた固定具を使用することが出来る。
Ｆ．固定具に対し、蓋部材は分離された構造を有するから、本発明にかかる蓋部材取付手段を施した各種の外形を有する蓋部材を採用することが出来る。
Ｇ．突起部の截頭四角錐が截頭正四角錐である場合には、止め螺子先端の圧着面は４錘面の何れでも採用することができるから、止め螺子を外方から見えにくい位置に設定して締着を行うことや、長年の使用等で破損した錘面を避けて止め螺子の締着を行うことが出来る。
Ｈ．外端部材の端板部における周縁外面に周縁外面突条が突設され、又蓋部材における周縁内面に周縁内面突条が突設される場合には、外端部材に蓋部材が取付けられたときに周縁外面突条と周縁内面突条とが当接されて両者の密着性が向上する。
Ｉ．外端部材の端板部が管状笠木の外径と内径との中間の外径を有する外周縁を具備すると共に、端板部内面には管状笠木が嵌合される内径の嵌合用円筒部が形成される場合には、管状笠木端部内に端板部が侵入することを防止すると共に管状笠木端部の見切を良好にする。
【発明を実施するための最良の形態】
【０００７】
本発明にかかる笠木端部蓋取付装置は、管状笠木の端部に挿入固着された固定具の外端部材外面に蓋部材が装着される笠木端部蓋取付装置において、該外端部材は、該管状笠木の外端に当接される端板部を具備すると共に、該端板部の外面には、截頭四角錐をなす突起部がその細い截頭面を該端板部に接合した状態で突設され、所要厚を有する該蓋部材は、その内面に該外端部材の該突起部における外端面である該截頭四角錐の太い底面が通過可能な口部を有すると共に、該截頭四角錐における錐面の傾斜に符合する傾斜が設けられた第一側壁面及び該第一側壁面と平行に対向する第二側壁面を有して該外端部材の該突起部を収容可能とする平行六面体状凹窟部を具備し、又該蓋部材側面には該第二側壁面に達する螺子孔が形成され、該蓋部材の該平行六面体状凹窟部に該外端部材の該突起部を収容した状態で、該螺子孔に締付けられた止め螺子の先端が該外端部材における該突起部の該錘面に圧着されて該外端部材に該蓋部材が取付けられることを主な特徴とする。
又前記截頭四角錐の４錘面の何れもを前記止め螺子の圧着面と出来るように、前記突起部の截頭四角錐は截頭正四角錐であることを特徴とする。
更に前記外端部材と前記蓋部材の密着性を向上させるために、前記外端部材の前記端板部における周縁外面には周縁外面突条が突設され、又前記蓋部材における周縁内面には周縁内面突条が突設され、該外端部材に該蓋部材が取付けられたときに、該周縁外面突条と該周縁内面突条とが当接されることを特徴とする。
又前記管状笠木端部内に前記端板部が侵入することを防止すると共に該管状笠木端部の見切を良好にするために、前記外端部材の前記端板部は前記管状笠木の外径と内径との中間の外径を有する外周縁を具備すると共に、該端板部内面には前記管状笠木が嵌合される内径の嵌合用円筒部が形成されることを特徴とする。
更に前記蓋部材は、前記管状笠木の軸線に対してＬ字状に延びる曲成突出縁を有することを特徴とする。
【実施例】
【０００８】
本発明の実施例について添付図面を参照して説明する。
図１及び図２には本発明にかかる笠木端部蓋取付装置を含む手摺笠木の端部が示されている。図中符号１は管状笠木であって、この管状笠木１の端部には蓋部材２を管状笠木１に取付けるための固定具３が挿入固着されている。固定具３はその外側に蓋部材２を取付ける点に本発明の特徴を有するものであり、固定具３を管状笠木１に固着すること自体は各種の手段を採用することが可能であり、図示の固着手段はその一例を示している。固定具３は、断面Ｃ字状で管状笠木１の内径とほぼ同径な周面を有すると共に長手方向中央部７に向い肉厚にされる内方傾斜面５と外方傾斜面６とを有する拡張部材４と、内方傾斜面５に対応する外方に向けて狭くなる内方傾斜スリーブ９を有すると共に内方傾斜スリーブ９の繋ぎ板部１０における中央に雌ねじ孔１１が形成された内方部材８と、外方傾斜面６に対応する外方に向けて広くなる外方傾斜スリーブ１３を有すると共にその端板部１４における中央に段付通孔１５が形成された外端部材１２と、締付けボルト１６とよりなり、管状笠木１の端部に配設された固定具３において、外端部材１２の段付通孔１５から挿通した締付けボルト１６を内方部材８の雌ねじ孔１１に螺合して締付けると、内方部材８と外端部材１２との間隔が狭まり、内方部材８の内方傾斜スリーブ９が拡張部材４の内方傾斜面５を摺動押圧すると共に外端部材１２の外方傾斜スリーブ１３が拡張部材４の外方傾斜面６を摺動押圧することによって拡張部材４を放射状方向に拡張し、拡張部材４が管状笠木１に密着して固定具３全体が管状笠木１に固着されるものである。
【０００９】
内方部材８及び外端部材１２の外周には、管状笠木１内周に突出する溶接シームを避けるための縦溝１７が形成されている。また図３には拡張部材４の断面が示されているが、拡張部材４外周の切れ目１８は、拡張の際の周方向の広がりを許容すると共に、管状笠木１内周に突出する溶接シームを避けるために役立つ。拡張部材４の内周には切れ目１８と対向する太い溝１９とその間に配設される数個の細い溝２０が形成されているが、拡張を行う際に、拡張部材４は先ず太い溝１９を中心に広がり、次いで細い溝２０の部分で広がるようにされることにより、拡張が容易に行われると共に管状笠木１内周に一様に密着して摩擦力を大きくする効果を有する。
【００１０】
本発明では、蓋部材２と共に固定具３の外端部材１２に特徴を有する。即ち外端部材１２の端板部１４は、図２、図４及び図５に示されるように、管状笠木１の外径と内径との中間の外径を有すると共に、その内面に管状笠木１の外端が当接する外周縁２１を具備する。端板部１４内面には、先方が外方傾斜スリーブ１３に連なり且つ管状笠木１が嵌合される内径の嵌合用円筒部２２が形成され、管状笠木１端部内に端板部１４が侵入することを防止すると共に管状笠木１端部の見切を良好にする効果を有する。端板部１４の外面には、截頭四角錐をなす突起部２３がその細い截頭面を端板部１４に接合した状態で突設されており、前述した段付通孔１５はこの突起部２３を縦通するように形成される。この截頭四角錐は通常截頭正四角形が採用される。又端板部１４における周縁外面には周縁外面突条２４が突設されている。一方所要厚を有する蓋部材２は、図２、図６及び図７に示されるように、その内面に外端部材１２の突起部２３における外端面である該截頭四角錐の太い底面２５が通過可能な口部２６を有すると共に、截頭四角錐における錐面の傾斜に符合する傾斜が設けられた第一側壁面２７及び第一側壁面２７と平行に対向する第二側壁面２８を有して外端部材１２の突起部２３を収容可能とする平行六面体状凹窟部２９を具備し、又蓋部材２側面には第二側壁面２８に達する螺子孔３０が形成されており、この螺子孔３０には止め螺子３１が螺合される。更に蓋部材２における周縁内面には周縁内面突条３２が突設されている。
【００１１】
管状笠木１の端部に、固定具３を固着した後に、固定具３における外端部材１２に蓋部材２を取付ける。蓋部材２を外端部材１２に取付けるには、蓋部材２における平行六面体状凹窟部２９の傾斜する第一側壁面２７を、図８の矢印の方向に外端部材１２の突起部２３における截頭四角錐の一錘面に滑らすようにして蓋部材２の平行六面体状凹窟部２９に外端部材１２の突起部２３を収容する。この際、外端部材１２の端板部１４における周縁外面には周縁外面突条２４が突設され、又蓋部材２における周縁内面には周縁内面突条３２が突設されているから、外端部材１２に蓋部材２が取付けられたときに周縁外面突条２４と周縁内面突条３２とが当接されて両者の密着性が向上する。そして蓋部材２の第二側壁面２８に達する蓋部材２の側面から止め螺子３１を締着する簡単な方法で作業が終了する。止め螺子３１を締着した場合に、止め螺子３１の先端が、外端部材１２の突起部２３における外広がりの錘面に圧着されるから、止め螺子３１の締付けによって、蓋部材２は固定具３の外端部材１２の方向に引込まれて固定具３と蓋部材２との密着性を向上させる。また取付後、蓋部材２に作用する蓋部材２の引抜き力に対しては、錘面を圧着する止め螺子３１の先端圧力が更に増加することになり、蓋部材２の固定具３からの脱落を確実に防止することが出来る。なお突起部２３の截頭四角錐が截頭正四角錐である場合には、止め螺子３１の先端の圧着面は４錘面の何れでも採用することができるから、止め螺子３１を外方から見えにくい位置に設定して締着を行うことや、長年の使用等で破損した錘面を避けて止め螺子３１の締着を行うことが出来る。
【００１２】
固定具３に対し、蓋部材２は分離された構造を有するから、本発明にかかる蓋部材２の取付手段を施した各種の外形を有する蓋部材２を採用することが出来る。即ち、図１、図２、図６及び図７に示される蓋部材２の外形は截頭円錐形をなすものであるが、図９に示されるように、管状笠木１の軸線に対してＬ字状に延びる曲成突出縁３３を有する蓋部材２も採用される。このような蓋部材２の場合には、曲成突出縁３３に加わる外力によって蓋部材２の取付軸線についての回転方向の外力が蓋部材に作用する事態が想定されるが、固定具３の外端部材１２と蓋部材２とは、截頭四角錐をなす外端部材１２の突起部２３と蓋部材２の平行六面体状凹窟部２９との密接な嵌合によってこのような外力を充分に固定具３に伝達することができる。
【図面の簡単な説明】
【００１３】
【図１】笠木端部蓋取付装置の分解斜視図である。
【図２】笠木端部蓋取付装置の縦断面図である。
【図３】固定具における拡張部材の縦断面図である。
【図４】固定具における外端部材の斜視図である。
【図５】固定具における外端部材の一部断面を示した側面図である。
【図６】蓋部材の斜視図である。
【図７】蓋部材の縦断面図である。
【図８】蓋部材の取付説明図である。
【図９】蓋部材の他例を示す斜視図である。
【符号の説明】
【００１４】
１  管状笠木
２  蓋部材
３  固定具
１２  外端部材
１４  端板部
２１  外周縁
２２  嵌合用円筒部
２３  突起部
２４  周縁外面突条
２５  底面
２６  口部
２７  第一側壁面
２８  第二側壁面
２９  平行六面体状凹窟部
３０  螺子孔
３１  止め螺子
３２  周縁内面突条
３３  曲成突出縁
【図１】
2006241813.tif 000003
【図２】
2006241813.tif 000004
【図３】
2006241813.tif 000005
【図４】
2006241813.tif 000006
【図５】
2006241813.tif 000007
【図６】
2006241813.tif 000008
【図７】
2006241813.tif 000009
【図８】
2006241813.tif 000010
【図９】
2006241813.tif 000011